(57)【要約】  内側に、待機時に表示面（３ａ）が黒色であるディスプレイ装置（３）を配置可能に構成され、表示面を視認可能にする開口（２ａ）が形成された電子機器用筐体（２）に、開口を覆うように取り付けられた意匠パネル（１）であって、開口よりも大きな面積を有する透明支持基板（１１）と、透明支持基板の外側又は内側に設けられた偏光フィルム（１４）と、偏光フィルムよりも筐体取付側に設けられた１／４波長位相差フィルム（１５）と、透明支持基板よりも筐体取付側に設けられ、前記筐体に接触可能な部分を黒色に着色する黒色着色部（１３）とを有して、情報表示時には外側からディスプレイ装置が視認できるようにするとともに、待機時には外側からディスプレイ装置を視認できないように隠蔽する。
2007055189.tif 000002
【特許請求の範囲】
【請求項１】
内側に、待機時に表示面（３ａ）が黒色であるディスプレイ装置（３）を配置可能に構成されるとともに当該ディスプレイ装置（３）の前記表示面（３ａ）を外側から視認可能にする開口（２ａ）が形成された電子機器用筐体（２）に、前記開口（２ａ）の全面を覆うように外側から取付可能な意匠パネルであって、
前記開口（２ａ）の外側に取付可能であり、前記開口（２ａ）よりも大きな面積を有する透明支持基板（１１）と、
前記透明支持基板（１１）の外側又は内側に設けられ、入射する光を直線偏光に変換する偏光フィルム（１４）と、
前記偏光フィルム（１４）よりも筐体取付側に設けられ、直線偏光された光を円偏光に変換する１／４波長位相差フィルム（１５）と、
前記透明支持基板（１１）よりも筐体取付側に設けられ、前記筐体（２）に接触可能な部分を黒色に着色する黒色着色部（１３）とを有し、
前記偏光フィルム（１４）と前記１／４波長位相差フィルム（１５）により隠蔽部（１２，１２Ａ）を構成して、当該隠蔽部（１２，１２Ａ）により、前記ディスプレイ装置（３）の情報表示時には外側から前記ディスプレイ装置（３）が視認できるようにするとともに、前記ディスプレイ装置（３）の待機時には外側から前記ディスプレイ装置（３）が視認できないように隠蔽可能である、意匠パネル。
【請求項２】
前記ディスプレイ装置（３）は、偏光板（４０）を有する液晶ディスプレイ装置であって、前記偏光フィルム（１４）が前記偏光板（４０）と吸収軸が同じになるように配置可能である、請求項１に記載の意匠パネル。
【請求項３】
前記偏光フィルム（１４）は、前記透明支持基板（１１）の前記内側の面に隣接して設けられている、請求項１又は請求項２に記載の意匠パネル。
【請求項４】
前記黒色着色部（１３）は、前記偏光フィルム（１４）よりも筐体取付側に設けられている、請求項１又は請求項２に記載の意匠パネル。
【請求項５】
前記黒色着色部（１３）は、前記１／４波長位相差フィルム（１５）に印刷された層である、請求項４に記載の意匠パネル。
【請求項６】
前記黒色着色部（１３）は、前記黒色着色部（１３）の外側の面に隣接する前記透明支持基板（１１）又は前記１／４波長位相差フィルム（１５）と、前記筐体（２）とを粘着可能な黒色の両面粘着テープである、請求項４に記載の意匠パネル。
【請求項７】
前記黒色着色部（１３）は、前記１／４波長位相差フィルム（１５）の前記外側の面又は内側の面に隣接して設けられたフィルム部材である、請求項３に記載の意匠パネル。
【請求項８】
最も外側の面が前記筐体（２）の前記開口（２ａ）側の外面と面一になることが可能である、請求項１又は請求項２に記載の意匠パネル。
【請求項９】
前記隠蔽部（１２Ａ）は、前記偏光フィルム（１４）と前記１／４波長位相差フィルム（１５）との間に１／２波長位相差フィルム（１７）をさらに備えている、請求項１又は請求項２に記載の意匠パネル。
【請求項１０】
前記偏光フィルム（１４）は、前記透明支持基板（１１）の前記内側の面に隣接して設けられ、
前記隠蔽部（１２Ａ）は、前記偏光フィルム（１４）と前記１／４波長位相差フィルム（１５）との間に１／２波長位相差フィルム（１７）をさらに備えている、請求項１又は請求項２に記載の意匠パネル。
【発明の詳細な説明】
【技術分野】
【０００１】
本発明は、携帯電話機、スマートフォン等のディスプレイ装置を備える電子機器に用いられる意匠パネルに関する。
【背景技術】
【０００２】
従来、前記電子機器においては、その内側にディスプレイ装置が配置され、当該ディスプレイ装置の表示面を外側から視認可能にするように形成された開口の全面を覆うように、ガラスやプラスチック板等の透明パネルが外側から取り付けられている。
【発明の開示】
【発明が解決しようとする課題】
【０００３】
このように構成される従来の電子機器においては、パネルが透明であるために、ディスプレイ装置の表示面と透明パネルを保持する前記電子機器用筐体の前記開口周囲のフレーム部分との識別が、その透明パネル越しに容易にできる。近年、前記電子機器においては、使用者のデザインに対する要望が日増しに強まっており、ディスプレイ装置が文字や絵などの情報を表示面に表示している時に、その表示面と前記フレーム部分とが一目して識別できないようにする、すなわち、ディスプレイ装置の表示面を隠蔽することは、意匠的に非常に有用である。【０００４】
ディスプレイ装置の表示面を隠蔽する第１の方法としては、前記透明パネルに代えて透過率の低い、例えば黒色系のスモークパネルを採用することが考えられる。しかしながら、この第１の方法では、ディスプレイ装置の待機時（情報非表示時）に、その表示面と前記フレーム部分との識別をできなくすることは可能になるが、そのためには透過率をかなり低くしなければならず、ディスプレイ装置の情報表示時に、その表示面が暗く見え難いという問題点がある。【０００５】
ディスプレイ装置の表示面を隠蔽する第２の方法としては、前記透明パネル上に視野角を狭く（例えば正面のみに）するように調整する特殊フィルム（例えば３Ｍ社製ライトコントロールフィルム）等を貼り付ける方法が考えられる。この第２の方法によれば、ディスプレイ装置の待機時に、正面以外の角度からはディスプレイ装置の表示面と前記フレーム部分とを一目して識別できないようにすることが可能となる。しかし、この場合、当然ながら正面からはディスプレイ装置の表示面と前記フレーム部分との識別が容易であるので、十分に意匠性を向上させるという目的を果たすことはできない。また、この特殊フィルムにおいても透明パネルより透過率は低くなるため、ディスプレイ装置の情報表示時に画面が暗く見え難いという問題点がある。さらに、正面からの角度以外では画像を見え難くしているので、使用者はディスプレイ装置の表示面を必ず正面に向くようにしなければ、その表示面を見ることができず、扱いづらい面もある。【０００６】
本発明の目的は、前記課題を解決することにあって、ディスプレイ装置の情報表示時には、外側からその表示面が視認できるようにするとともに、ディスプレイ装置の待機時には、その表示面を隠蔽できる意匠パネルを提供することを目的とする。
【課題を解決するための手段】
【０００７】
本発明は、上記技術的課題を解決するために、以下の構成の意匠パネルを提供する。【０００８】
本発明の第１態様によれば、内側に、待機時に表示面が黒色であるディスプレイ装置を配置可能に構成されるとともに当該ディスプレイ装置の前記表示面を外側から視認可能にする開口が形成された電子機器用筐体に、前記開口の全面を覆うように外側から取付可能な意匠パネルであって、
前記開口の外側に取付可能であり、前記開口よりも大きな面積を有する透明支持基板と、
前記透明支持基板の外側又は内側に設けられ、入射する光を直線偏光に変換する偏光フィルムと、
前記偏光フィルムよりも筐体取付側に設けられ、直線偏光された光を円偏光に変換する１／４波長位相差フィルムと、
前記透明支持基板よりも筐体取付側に設けられ、前記筐体に接触可能な部分を黒色に着色する黒色着色部とを有し、
前記偏光フィルムと前記１／４波長位相差フィルムにより隠蔽部を構成して、当該隠蔽部により、前記ディスプレイ装置の情報表示時には外側から前記ディスプレイ装置が視認できるようにするとともに、前記ディスプレイ装置の待機時には外側から前記ディスプレイ装置が視認できないように隠蔽可能である、意匠パネルを提供する。
ここで、透明支持基板の「内側」とは、本意匠パネルが前記筐体に取り付けられたときに前記筐体内に配置されるディスプレイ装置に対向する側をいい、透明支持基板の「外側」とは、その逆側、すなわち、本意匠パネルが前記筐体に取り付けられたときに外に向く側をいう。
また、「接触可能な部分」とは、本意匠パネルが前記筐体に取り付けられたときに前記筐体に接触する部分をいい、前記筐体の前記開口に接する部分は含まれない。【０００９】
本発明の第２態様によれば、前記ディスプレイ装置は、偏光板を有する液晶ディスプレイ装置であって、前記偏光フィルムが前記偏光板と吸収軸が同じになるように配置可能である、第１態様に記載の意匠パネルを提供する。【００１０】
本発明の第３態様によれば、前記偏光フィルムは、前記透明支持基板の前記内側の面に隣接して設けられている、第１態様又は第２態様の意匠パネルを提供する。【００１１】
本発明の第４態様によれば、前記黒色着色部は、前記偏光フィルムよりも筐体取付側に設けられている、第１態様又は第２態様に記載の意匠パネルを提供する。【００１２】
本発明の第５態様によれば、前記黒色着色部は、前記１／４波長位相差フィルムに印刷された層である、第４態様に記載の意匠パネルを提供する。【００１３】
本発明の第６態様によれば、前記黒色着色部は、前記黒色着色部の外側の面に隣接する前記透明支持基板又は前記１／４波長位相差フィルムと、前記筐体とを粘着可能な黒色の両面粘着テープである、第４態様に記載の意匠パネルを提供する。【００１４】
本発明の第７態様によれば、前記黒色着色部は、前記１／４波長位相差フィルムの前記外側の面又は内側の面に隣接して設けられたフィルム部材である、第３態様に記載の意匠パネルを提供する。【００１５】
本発明の第８態様によれば、最も外側の面が前記筐体の前記開口側の外面と面一になることが可能である、第１態様又は第２態様に記載の意匠パネルを提供する。
ここで、「面一」とは、意匠パネルが筐体の開口側の外面に段差無く取り付けられることをいう。【００１６】
本発明の第９態様によれば、前記隠蔽部は、前記偏光フィルムと前記１／４波長位相差フィルムとの間に１／２波長位相差フィルムをさらに備えている、第１態様又は第２態様に記載の意匠パネルを提供する。【００１７】
本発明の第１０態様によれば、前記偏光フィルムは、前記透明支持基板の前記内側の面に隣接して設けられ、
前記隠蔽部は、前記偏光フィルムと前記１／４波長位相差フィルムとの間に１／２波長位相差フィルムをさらに備えている、第１態様又は第２態様に記載の意匠パネルを提供する。
【発明の効果】
【００１８】
本発明によれば、本意匠パネルを保持する電子機器用筐体の開口周囲のフレーム部分に対応する位置に黒色着色部を有しており、また、開口の部分には隠蔽部が設けられているので、ディスプレイ装置の待機時には、ディスプレイ装置の表示面と前記フレーム部分とは、本意匠パネル越しには一体化して見え、視覚的に識別（視認）することができない。したがって、使用者（観察者）からは、意匠パネルの外側からはディスプレイ装置を視覚的に判別することができず、本意匠パネルが黒色窓の意匠と受け止められる。すなわち、ディスプレイ装置の待機時は、ディスプレイ装置の存在を意識させない、のっぺりとした黒色窓の意匠を演出することが可能となる。一方、ディスプレイ装置の情報表示時には、電子機器用筐体の外側からディスプレイ装置が視認できるようになっているので、ディスプレイ装置の表示面の画像が浮かび上がってくるような意匠性に優れた演出をすることが可能になる。【００１９】
また、隠蔽部の偏光板フィルムを液晶ディスプレイ装置の偏光板と吸収軸が同じになるように配置すれば、ディスプレイ装置の情報表示時にディスプレイ装置の光源からの光をより透過させることができ、意匠性を向上させることができる。
また、偏光フィルムを透明支持基板の内側の面に隣接して設ければ、意匠パネルの最も外側には透明支持基板が位置することとなるため、表面の傷付き耐性及び平滑性に優れる。また、偏光フィルムの段差が生じず、剥がれの心配もない。
また、黒色着色部を偏光フィルムよりも筐体取付側に設けることで、ディスプレイ待機時の黒色と合致した色に見えやすく、ディスプレイと本意匠パネルとの境界が識別し難くなり、意匠性を向上させることができる。
また、黒色着色部を１／４波長位相差フィルムに印刷することで、黒色着色部の厚みを薄くすることができ、その分、本意匠パネルの厚みを薄くすることができる。
また、黒色着色部を黒色の両面粘着テープにすることで、別途黒色着色部を作製する工程を行う必要がなくなり、コストを抑えるとともに生産性を向上させることができる。【００２０】
また、黒色着色部を１／４波長位相差フィルムの外側又は内側の面に隣接して設けることで、ディスプレイ待機時の黒色と合致した色に見えやすく、ディスプレイと本意匠パネルとの境界が識別し難くなり、意匠性を向上させることができる。
また、意匠パネルの最も外側の面を筐体の開口側の外面と面一になるようにすれば、より意匠パネルと筐体とが一体化して見え、さらに意匠性を向上させるとともに、意匠パネルを筐体から剥がれにくくすることができる。
また、隠蔽部の偏光フィルムと１／４波長位相差フィルムとの間に１／２波長位相差フィルムをさらに備えるようにすれば、人間の視感度が最も高い５５０ｎｍ付近の波長の光に加えて、４００ｎｍ付近の低波長領域及び７５０ｎｍ付近の長波長領域の光が装置内部から外側に漏れるのを抑えることもでき、さらに意匠性を向上させることができる。
【図面の簡単な説明】
【００２１】
本発明のこれらと他の目的と特徴は、添付された図面についての好ましい実施の形態に関連した次の記述から明らかになる。この図面においては、
【図１Ａ】図１Ａは、本発明の実施形態にかかる意匠パネルを用いた携帯電話機の基本構成を示す斜視図であり、
【図１Ｂ】図１Ｂは、図１ＡのＡ−Ａ断面概略図であり、
【図２】図２は、液晶ディスプレイの構成を示す断面図であり、
【図３Ａ】図３Ａは、本発明の第１実施形態にかかる意匠パネルを用いた携帯電話機の一部拡大断面図であり、
【図３Ｂ】図３Ｂは、本発明の第１実施形態にかかる意匠パネルの構成を示す断面図であり、
【図４】図４は、本発明の第１実施形態にかかる意匠パネルの他の構成を示す断面図であり、
【図５】図５は、本発明の第１実施形態にかかる意匠パネルのさらに他の構成を示す断面図であり、
【図６】図６は、本発明の第１実施形態にかかる意匠パネルのさらに他の構成を示す断面図であり、
【図７】図７は、本発明の第１実施形態にかかる意匠パネルを用いた携帯電話機のディスプレイ装置の待機時の状態を示す図であり、
【図８】図８は、本発明の第１実施形態にかかる意匠パネルを用いた携帯電話機のディスプレイ装置の情報表示時の状態を示す図であり、
【図９Ａ】図９Ａは、本発明の第２実施形態にかかる意匠パネルを用いた携帯電話機の一部拡大断面図であり、
【図９Ｂ】図９Ｂは、本発明の第２実施形態にかかる意匠パネルの構造を示す断面図であり、
【図１０Ａ】図１０Ａは、本発明の第１実施形態にかかる意匠パネルの偏光板及び１／４波長位相差フィルムと、ディスプレイ装置の上部偏光板との偏光方向の位置関係を模式的に示す分解斜視図であり、
【図１０Ｂ】図１０Ｂは、本発明の第１実施形態にかかる意匠パネルの偏光板、１／２波長位相差フィルム、及び１／４波長位相差フィルムと、ディスプレイ装置の上部偏光板との偏光方向の位置関係を模式的に示す分解斜視図であり、
【図１１】図１１は、本発明の第１実施形態にかかる意匠パネルと、本発明の第２実施形態にかかる意匠パネルの光の反射特性を示すグラフであり、
【図１２】図１２は、本発明の変形例にかかる意匠パネルを用いた携帯電話機の一部拡大断面図である。
【発明を実施するための最良の形態】
【００２２】
本発明の記述を続ける前に、添付図面において同じ部品については同じ参照符号を付している。以下に、本発明に係る実施の形態を図面に基づいて詳細に説明する。【００２３】
《第１実施形態》
図１Ａは、本発明の第１実施形態に係る意匠パネル１を用いた携帯電話機の基本構成を示す斜視図である。図１Ｂは、そのＡ−Ａ断面の概略図である。【００２４】
意匠パネル１（図１Ａ中の斜線部）は、アルミ等の金属や樹脂で形成された筐体２の一部表面に設けられた開口２ａを外側から覆うように、開口２ａ周囲のフレーム部分２ｂに保持され、両面粘着テープ４によって貼り付けられている。筐体２の開口２ａは、筐体２の内側に配置されたディスプレイ装置３の表示面３ａを、外側から視認可能にするように形成されている。意匠パネル１は、開口２ａよりも大きな面積を有するように形成され、ディスプレイ装置３の表示面３ａと空気層４を挟んで対向するように配置されている。筐体２の開口２ａ側の上面（外面）２ｃは、意匠パネル１の上面１ａと面一になるように形成されている。すなわち、開口２ａ及びフレーム部分２ｂは、筐体２の開口２ａ側の上面２ｃから凹んでおり、その凹みに意匠パネル１が嵌め込まれている。これにより、意匠性を向上させるとともに、意匠パネル１が筐体２から剥がれにくくなっている。【００２５】
ディスプレイ装置３は、待機時、すなわち表示面３ａに文字や絵などの情報を表示していない時、表示面３ａが黒色である液晶ディスプレイ装置である。例えば、ディスプレイ装置３が携帯電話機に用いられる場合においては、当該携帯電話機の非使用時に表示面３ａが黒色一色であるときが「待機時」である。このような液晶ディスプレイは、例えば、ノーマリーブラック方式の液晶ディスプレイ（電圧がかかっていない時に透過率、あるいは反射率が最小(画面が黒色になる状態)になり、電圧を加えると透過率が上がるように設計された液晶ディスプレイ装置）を採用して、待機時に電圧を加えないようにすることで実現可能である。また、例えば、ノーマリーホワイト方式の液晶ディスプレイ（電圧がかかっていない時に透過率、あるいは反射率が最大(画面が白色になる状態)になり、電圧を加えると透過率が下がるように設計された液晶ディスプレイ装置）を採用して、待機時に微弱電圧を加えるようにすることでも実現可能である。
なお、ディスプレイ装置３にノーマリーブラック方式の液晶ディスプレイを採用した場合には、電圧がかかっていない状態で黒色であるので、消費電力を無駄にしないという利点がある。また、ディスプレイ装置３にノーマリーホワイト方式の液晶ディスプレイを採用した場合には、ノーマリーブラック方式の液晶ディスプレイに比べて黒色のコントラストが良いという特徴があるので、より意匠性を向上させることができる。【００２６】
図２は、ディスプレイ装置３の具体的構成を示す断面図である。図２において、ディスプレイ装置３は、光源３１と反射板３２と拡散板３３とを有する照明部４１と、２枚の基板３５、３９間に透明電極膜３６、３８を介して液晶３７を封止する液晶セル部４２と、液晶セル４２を挟むようにそれぞれ配置された下部偏光板３４及び上部偏光板４０と、液晶３７に印加する電圧を制御する液晶駆動制御回路４３とから構成されている。【００２７】
光源３１から出射された光は、一部反射板３２で反射された後、拡散板３３で拡散されて、均一な照明分布を有する照明光５１となる。照明光５１は液晶セル４２の全体を照明する。下部偏光板３４は照明光５１の特定の偏光成分のみを透過して直線偏光に変換する。液晶３７には、例えばツイステッド・ネマティック（ＴＮ）液晶が用いられ、図示していないが透明電極膜３６、３８と液晶３７との境界面に配光処理が施されている。液晶３７は直線偏光された光を旋光する作用を有し、その旋光性は印加された電圧によって変化するので、上部偏光板４０により出射光５２の光量を制御できる。したがって、液晶駆動装置回路４３により、液晶３７に印加する電圧を制御することで画像表示力を有する。【００２８】
図３Ａは、本発明の第１実施形態にかかる意匠パネル１を用いた携帯電話機の一部拡大断面図であり、図３Ｂは、本発明の第１実施形態にかかる意匠パネル１の構成を示す断面図である。意匠パネル１は、透明支持基板１１と、透明支持基板１１の下面１１ａ全面に形成された隠蔽部１２と、筐体２の開口２ａ周囲のフレーム部分２ｂの形状に合わせて隠蔽部１２の下面に設けられた黒色着色部１３とを有している。【００２９】
透明支持基板１１は、ガラスやプラスチックパネル等の透明部材で形成されている。透明支持基板１１を形成するガラス部材としては、一般的に透明性に優れるソーダガラスや強度アップの為に、物理的、化学的に強化されたガラスが使用できる。特に、携帯電話機等の携帯用電子機器に用いる意匠パネルとしては、取り扱い性を考慮して、強化ガラスを使用するのが好ましい。強化ガラスを強化処理する具体的な方法としては、物理的強化方法と化学的強化方法とがある。物理的強化方法は、焼入れ原理を利用し、急冷により、ガラス表面とガラス内部に温度差を生じさせ、圧縮応力を持たせた強化方法である。化学的強化方法は、硝酸カリウム溶液中に浸漬して、ガラス表面のナトリウムイオンと溶液中のカリウムイオンとを置換して、ガラス表面とガラス内部でイオン半径の異なる両イオンを存在させることで、圧縮応力を持たせた強化方法である。本発明の第１実施形態の意匠パネル１としては、装置の薄型化という技術的トレンドの観点から薄板ガラスを使用する場合が多い為、一般的には、化学強化方法を用いて形成することが好ましい。【００３０】
また、透明支持基板１１を形成するプラスチックとしては、機械的強度性、耐熱性、耐薬品性に優れているものが好ましい。このような条件を満たす透明樹脂としては、ポリアクリルメタアクリレート（ＰＭＭＡ）、ポリカーボネート（ＰＣ）、ポリスチレン、ポリアリレートやノルボルネン系の“ＡＲＴＯＮ”（株式会社ＪＳＲの商品名）、“ＺＥＯＮＯＲ”（日本ゼオンの商品名）等が挙げられる。【００３１】
隠蔽部１２は、外側から順に、図１０Ａに示すように、ディスプレイ装置３の上部偏光板４０と吸収軸が同じになるように構成され、入射する光を直線偏光に変換する偏光フィルム１４と、偏光フィルム１４の吸収軸と光学軸とが４５度又は１３５度（図１０Ａでは１３５°の状態を示す）の角度をなすように配置され、１／４波長の位相遅れを与えることで、直線偏光された光を円偏光に変換する１／４波長位相差フィルム１５とを備えている。【００３２】
隠蔽部１２は、図３Ａ及び図３Ｂに示すように、偏光フィルム１４が透明支持基板１１の下面１１ａ全面に貼り付けられ、偏光フィルム１４の下面１４ａ全面に１／４波長位相差フィルム１５を貼り付けられるのが好ましい。このように構成されることにより、透明支持基板１１が意匠パネル１の最も外側に位置するので、透明支持基板１１の外側面１１ｂにハードコート処理を施すことができる。このハードコート処理としては、ディッピング法、ロールコーター法、スプレイ法などにより、アクリル系あるいはシロキサン系の樹脂を1〜１０μｍ程度の膜厚にコーティングしたものが好ましい。【００３３】
また、隠蔽部１２は、図４に示すように、偏光フィルム１４と１／４波長位相差フィルム１５とで透明支持基板１１を挟み込むように構成されてもよいし、図５に示すように、偏光フィルム１４と１／４波長位相差フィルム１５とが、透明支持基板１１より外側に位置するように構成されてもよい。なお、この場合、透明支持基板１１には光学的等方性が必要である。【００３４】
偏光フィルム１４は、図示していないが一般的に、染色されたポリビニルアルコール（ＰＶＡ）とそれを両側から支える支持体トリアセチルセルロース（ＴＡＣ）から構成される三層構造になっている。偏光フィルム１４には、単体透過率４０％以上、偏光度９９％以上の光学特性のものを使用するのが好ましい。【００３５】
１／４波長位相差フィルム１５は、人間の視感度が最も高い５５０ｎｍの波長の１／４の長さに当たる１３７ｎｍの位相差値を有する。１／４波長位相差フィルム１５としては、ポリカーボネート（ＰＣ）、ポリアリレート（ＰＡＲ）、ノルボルネン系の“ＡＲＴＯＮ”（株式会社ＪＳＲの商品名）、“ＺＥＯＮＯＲ”（日本ゼオンの商品名）等のフィルムを予め設定された延伸条件で製膜して所望の位相差値を得たものが使用できる。【００３６】
黒色着色部１３は、例えば、筐体２の開口２ａ周囲のフレーム部分２ｂの形状に合わせて、１／４波長位相差フィルム１５に直接印刷された黒色インキであってもよいし、図６に示すように、別の基材フィルム１６に印刷された黒色インキであってもよい。別の基材フィルム１６は、図６では１／４波長位相差フィルム１５の下面１５ａに貼り合わせたが、１／４波長位相差フィルム１５の上面１５ｂに全面粘着剤にて貼り合わされても良い。また、この場合、黒色着色部１３は、図６では別の基材フィルム１６の上面１６ｂに印刷したが、下面１６ａに印刷されてもよい。すなわち、黒色着色部１３は、偏光フィルム１４よりもディスプレイ装置３側、すなわち筐体取付側に位置するように設けられればよい。【００３７】
別の基材フィルム１６には、例えば、ポリカーボネート（ＰＣ）、アクリルフィルム、ポリアリレート（ＰＡＲ）、ノルボルネン系の“ＡＲＴＯＮ”（株式会社ＪＳＲの商品名）、“ＺＥＯＮＯＲ”（日本ゼオンの商品名）等のフィルムを用いるのが好ましい。また、印刷層の材質としては、ポリ塩化ビニル系樹脂、ポリアミド系樹脂、ポリエステル系樹脂、ポリアクリル系樹脂、ポリウレタン系樹脂、ポリビニルアセタール系樹脂、ポリエステルウレタン系樹脂、セルロースエステル系樹脂、アルキド樹脂などの樹脂をバインダーとし、黒色の顔料を着色剤として含有する着色インキを用いるのが好ましい。また、印刷層の形成方法としては、オフセット印刷法、グラビア印刷法、スクリーン印刷法、インクジェット法などの通常の印刷法を用いるのが好ましい。【００３８】
また、黒色着色部１３は、両面粘着テープ４と一体的に構成されてもよい。つまり、両面粘着テープ４が黒色の両面粘着テープであってもよい。この黒色両面粘着テープは、黒色フィルム（例えばポリエチレンテレフタレートに黒色の顔料を分散させたもの）を芯材として、その両面に黒色顔料を混ぜ込んだアクリル系粘着剤を塗工したものを、フレーム部分２ｂの形状に合わせて打ち抜き加工して作製すればよい。【００３９】
本発明の第１実施形態の意匠パネル１によれば、使用者（観察者）は、ディスプレイ装置３の待機時、表示面３ａが黒色になり、その周囲のフレーム部分２ｂが黒色着色部１３により黒色着色されるので、図７に示すように全体的に黒い窓のように見えて、両者の識別ができない。したがって、意匠パネル１の下方にあるディスプレイ装置３の存在を意識させない、のっぺりとした黒色窓の意匠を演出することが可能となる。一方、ディスプレイ装置３の点灯時には、図８に示すように、筐体２の外側からディスプレイ装置３が視認できるようになっているので、ディスプレイ装置３の表示面３ａの画像が浮かび上がってくるような意匠性に優れた演出をすることが可能になる。【００４０】
なお、好ましくは、ディスプレイ装置３の上部偏光板４０の上面に、１／４波長の位相を進める１／４波長位相差板を貼り付ければ、光源３１からの光が上部偏光板４０によって直線偏光される際に光量が吸収されないので、明るい画像を得ることができる。【００４１】
次に、本発明の第１実施形態にかかる意匠パネル１の効果を検証するために、以下に説明する実施例１、２及び比較例の意匠パネルを用いて行った比較評価を以下に示す。【００４２】
（実施例１）
図３Ｂに示す構成の意匠パネルを使用。
透明支持基板：厚さ１ｍｍのメタアクリレート（ＰＭＭＡ）の両面にエポキシアクリレート系の多官能アクリレート紫外線硬化樹脂を厚さ５μｍになるようにディップコーティングしたものを使用。
偏光フィルム：偏光度９９．５％、単体透過率４３％の光学特性を有するとともに、透明支持基板の下面に、吸収軸がディスプレイ装置の上部偏光板の吸収軸４５度と同じになるように透明アクリル系粘着剤にて全面貼付。
１／４波長位相差フィルム：偏光フィルムの下面に、その吸収軸を偏光フィルムの吸収軸と４５度傾けて、透明アクリル系粘着剤にて全面貼付。
黒色着色部：位相差フィルムの下面に、インクジェット法にて、ディスプレイ装置のフレーム形状と対応するように黒インキで印刷。【００４３】
（実施例２）
図６に示す構成の意匠パネルを使用。
透明支持基板：厚さ０．７ｍｍのポリカーボネート（ＰＣ）の両面にウレタンアクリレート系の多官能アクリレート紫外線硬化樹脂を厚さ３μｍになるようにディップコーティングしたものを使用。
偏光フィルム：偏光度９９．５％、単体透過率４３％の光学特性を有するとともに、透明支持基板の下面に、吸収軸がディスプレイ装置の上部偏光板の吸収軸１３５度と同じになるように透明アクリル系粘着剤にて全面貼付。
黒色着色部：厚さ１００μｍの光学的に等方性のポリカーボネートフィルムにグラビア印刷法にて、ディスプレイ装置のフレーム形状に合わせて黒印刷。そのフィルムを偏光フィルムの下面に、透明アクリル系粘着剤にて全面貼付。
１／４波長位相差フィルム：前記フィルムの下面に、その吸収軸を偏光フィルムの吸収軸と４５度傾けて、透明アクリル系粘着剤にて全面貼付。【００４４】
（比較例）
図１Ｂに示す構成の意匠パネルを使用。
意匠パネル：厚さ１ｍｍのメタアクリレート（ＰＭＭＡ）に黒色顔料を分散した黒色系のスモークパネルを使用。【００４５】
（評価項目）
ディスプレイ装置の待機時：ディスプレイ装置の表示面とフレーム部分とが識別の可否。
ディスプレイ装置の情報表示時：ディスプレイ装置の視認性。【００４６】
【表１】
2007055189.tif 000003
【００４７】
以上説明したとおり、本発明の第１実施形態によれば、ディスプレイ装置の待機時には、外側からその表示面が視認できるようにするとともに、ディスプレイ装置の情報表示時には、その表示面を隠蔽できる意匠パネルを提供することができる。【００４８】
《第２実施形態》
以下に、本発明の第２実施形態にかかる意匠パネル１Ａを説明する。図９Ａは、本発明の第２実施形態にかかる意匠パネル１Ａを用いた携帯電話機の一部拡大断面図である。図９Ｂは、本発明の第２実施形態にかかる意匠パネル１Ａの構成を示す断面図である。本発明の第２実施形態にかかる意匠パネル１Ａは、隠蔽部１２に代えて、図９Ａ及び図９Ｂに示すように、偏光板１４と１／４波長位相差フィルム１５との間に１／２波長位相差フィルム１７を備える隠蔽部１２Ａを有する点で、本発明の第１実施形態にかかる意匠パネル１と異なる。それ以外の点については、本発明の第１実施形態にかかる意匠パネル１と同様である。【００４９】
本第２実施形態において、隠蔽部１２Ａの１／２波長位相差フィルム１７は、図１０Ｂに示すように、偏光フィルム１４の吸収軸と光学軸とがθ度（例えば１７．５度）の角度をなすように配置される。（図１０Ｂでは、隠蔽部１２Ａの偏光板フィルム１４とディスプレイ装置３の上部偏光板４０の吸収軸を１３５度傾けた状態を示している。）１／２波長位相差フィルム１７は、人間の視感度が最も高い５５０ｎｍの波長の１／２の長さに当たる２７５ｎｍの位相差値を有する。１／２波長位相差フィルム１７としては、ポリカーボネート（ＰＣ）、ポリアリレート（ＰＡＲ）、ノルボルネン系の“ＡＲＴＯＮ”（株式会社ＪＳＲの商品名）、“ＺＥＯＮＯＲ”（日本ゼオンの商品名）等のフィルムを予め設定された延伸条件で製膜して所望の位相差値を得たものが使用できる。
また、本第２実施形態において、１／４波長位相差フィルム１５は、偏光フィルム１４の吸収軸と光学軸とが２θ＋４５度の角度をなすように配置される。本第２実施形態においては、１／２波長位相差フィルム１７と１／４波長位相差フィルム１５との組み合わせにより広帯域位相差板を構成し、後で説明するように低波長領域及び長波長領域の光の反射率を一様に低く抑えることができるように構成されている。【００５０】
なお、隠蔽部１２Ａの偏光板フィルム１４は、ディスプレイ装置３の上部偏光板４０と吸収軸が同じになるように配置すると、ディスプレイ装置３の情報表示時にディスプレイ装置３の光源３１からの光をより透過させて意匠性を向上させることができるので好ましい。このため、例えば、図１０Ｂに示すようにディスプレイ装置３側にも１／４波長位相差フィルム４１と１／２波長位相差フィルム４２とを配置することが好ましい。この場合、１／４波長位相差フィルム４１は、隠蔽部１２Ａの偏光フィルム１４の吸収軸と光学軸とが２θ＋４５度±９０度の角度をなすように配置し、１／２波長位相差フィルム４２は、隠蔽部１２Ａの偏光フィルム１４の吸収軸と光学軸とがθ±９０度の角度をなすように配置する。【００５１】
図１１は、本発明の第１実施形態にかかる意匠パネル１と、本発明の第２実施形態にかかる意匠パネル１Ａの光の反射特性を示すグラフである。図１１のグラフにおいては、本発明の第１実施形態にかかる意匠パネル１の光の反射特性を実線で示し、本発明の第２実施形態にかかる意匠パネル１Ａの光の反射特性を点線で示している。【００５２】
本発明の第１実施形態にかかる意匠パネル１においては、隠蔽部１２により、図１１に示すように、人間の視感度が最も高い５５０ｎｍ付近の波長の光の反射率が、特に低くなっている。これにより、ディスプレイ装置３の待機時において人間の目には、意匠パネル１の下方にあるディスプレイ装置３の存在を意識させない、のっぺりとした黒色窓のように見え、意匠性が向上される。しかしながら、本発明の第１実施形態にかかる意匠パネル１においては、４００ｎｍ付近の低波長領域及び７５０ｎｍ付近の長波長領域の光の反射率が高くなっているため、低波長領域及び長波長領域の光の一部が意匠パネル１Ａを透過して、僅かではあるが紫がかって見える。【００５３】
これに対して、上記のように構成される本発明の第２実施形態にかかる意匠パネル１Ａにおいては、図１１に示すように、本発明の第１実施形態にかかる意匠パネル１に比べて、４００ｎｍ付近の低波長領域から７５０ｎｍ付近の長波長領域にわたって光の反射率が一様に低く抑えられている。
したがって、本発明の第２実施形態にかかる意匠パネル１Ａによれば、低波長領域及び長波長領域の光が意匠パネル１Ａを透過するのをさらに抑えることができるので、意匠パネル１Ａをより黒色窓のように見せて、意匠性を向上させることができる。【００５４】
なお、本発明は上記実施形態に限定されるものではなく、その他種々の態様で実施可能である。例えば、上記では筐体２の一部に形成した開口２ａを塞ぐように意匠パネル１を設けたが、図１２に示すように、筐体２の開口２ａ側の上面２ｃの全体を覆うように意匠パネル１を設けてもよい。また、筐体２の表面全体を意匠パネル１で形成してもよい。
また、図中では意匠パネル１を略矩形に形成しているが、これには限られない。例えば、三角形や円形、星形などでもよい。【００５５】
なお、上記様々な実施形態のうちの任意の実施形態を適宜組み合わせることにより、それぞれの有する効果を奏するようにすることができる。
【産業上の利用可能性】
【００５６】
本発明の意匠パネルは、ディスプレイ装置の情報表示時には、外側からその表示面が視認できるようにするとともに、ディスプレイ装置の待機時には、その表示面を隠蔽できる効果を有し、携帯電話機、スマートフォン等のディスプレイ装置を備える電子機器に用いる意匠パネルとして有用である。【００５７】
本発明は、添付図面を参照しながら好ましい実施の形態に関連して充分に記載されているが、この技術に熟練した人々にとっては種々の変形や修正は明白である。そのような変形や修正は、添付した請求の範囲による本発明の範囲から外れない限りにおいて、その中に含まれると理解されるべきである。【００５８】
２００５年１１月８日に出願された日本国特許出願Ｎｏ．２００５−３２３４７９号の明細書、図面、および特許請求の範囲の開示内容は、全体として参照されて本明細書の中に取り入れられるものである。
【図１Ａ】
2007055189.tif 000004
【図１Ｂ】
2007055189.tif 000005
【図２】
2007055189.tif 000006
【図３Ａ】
2007055189.tif 000007
【図３Ｂ】
2007055189.tif 000008
【図４】
2007055189.tif 000009
【図５】
2007055189.tif 000010
【図６】
2007055189.tif 000011
【図７】
2007055189.tif 000012
【図８】
2007055189.tif 000013
【図９Ａ】
2007055189.tif 000014
【図９Ｂ】
2007055189.tif 000015
【図１０Ａ】
2007055189.tif 000016
【図１０Ｂ】
2007055189.tif 000017
【図１１】
2007055189.tif 000018
【図１２】
2007055189.tif 000019
【国際調査報告】
2007055189.tif 000020
2007055189.tif 000021
2007055189.tif 000022
2007055189.tif 000023